(57)【要約】【課題】  装置本体に対して着脱可能に設けられ機能性を向上させた表示装置を備える撮像装置を提供する。【解決手段】  第１撮像部２４と、前記第１撮像部で撮像された画像データを記憶する第１記憶部４０と、第２撮像部６０を有し、装置本体４に対して着脱可能な表示装置６と、前記表示装置へ前記画像データを出力する制御部２２とを備える。【選択図】  図５
2011015016.tif 000002
【特許請求の範囲】
【請求項１】
第１撮像部と、
前記第１撮像部で撮像された画像データを記憶する第１記憶部と、
第２撮像部を有し、装置本体に対して着脱可能な表示装置と、
前記表示装置へ前記画像データを出力する制御部と
を備えることを特徴とする撮像装置。
【請求項２】
前記表示装置の着脱状態を検出する着脱検出部を備え、
前記表示装置は、バッテリと、
前記着脱検出部により前記表示装置が前記装置本体から取外されていることが検出された場合には、前記表示装置は前記バッテリから電源供給を受け、前記装置本体に取付けられていることが検出された場合には前記装置本体から電源供給を受けるように制御する電源制御部と
を備えることを特徴とする請求項１記載の撮像装置。
【請求項３】
前記着脱検出部により前記表示装置が前記装置本体から取外されている場合に、前記第２撮像部を用いて撮像動作を行う独立モード、または前記装置本体に対して無線通信により指示を行うリモコンモードを設定する、モード設定部を備えることを特徴とする請求項２記載の撮像装置。
【請求項４】
前記表示装置に表示する表示用の画像データを前記画像データから生成する表示画像データ生成部を備えることを特徴とする請求項１〜３の何れか一項に記載の撮像装置。
【請求項５】
前記制御部は、前記リモコンモードにおいて前記表示装置に対して無線通信により前記画像データを伝送することを特徴とする請求項３記載の撮像装置。
【請求項６】
前記着脱検出部により前記表示装置が前記装置本体に取付けられていることが検出された場合に、前記表示装置に備えられた表示部が前記装置本体に面して取付けられているか否かを検出する、取付状態検出部を備え、
前記表示部が前記装置本体に面して取付けられている場合には、１の撮像指示により前記第１撮像部及び前記第２撮像部により撮像を行うことを特徴とする請求項１または２記載の撮像装置。
【請求項７】
前記表示装置は、前記第２撮像部から出力された前記撮像信号に基づく画像データを記憶する第２記憶部を備え、
前記装置本体に取付けられた際に前記第２記憶部に記憶された前記画像データを前記第１記憶部に記憶することを特徴とする請求項１〜６の何れか一項に記載の撮像装置。
【発明の詳細な説明】
【技術分野】
【０００１】
本発明は、撮像装置に関するものである。
【背景技術】
【０００２】
装置本体に対して表示装置が着脱可能に設けられている撮像装置が知られている（例えば、特許文献１参照）。この撮像装置においては、表示装置と装置本体との距離が離れている場合であっても撮像指示及び画像の確認を表示装置側で行うことができる。
【先行技術文献】
【特許文献】
【０００３】
【特許文献１】特開２００７−３３６５２７号公報
【発明の概要】
【発明が解決しようとする課題】
【０００４】
しかし、この撮像装置においては装置本体から取外された場合に表示装置はリモコン装置としてのみ用いられ、機能性の向上が望まれていた。
【０００５】
本発明の目的は、装置本体に対して着脱可能に設けられ機能性を向上させた表示装置を備える撮像装置を提供することである。
【課題を解決するための手段】
【０００６】
本発明の撮像装置は、第１撮像部と、前記第１撮像部で撮像された画像データを記憶する第１記憶部と、第２撮像部を有し、装置本体に対して着脱可能な表示装置と、前記表示装置へ前記画像データを出力する制御部とを備えることを特徴とする。
【発明の効果】
【０００７】
本発明の撮像装置によれば、装置本体に対して着脱可能に設けられた表示装置を備え、表示装置は高い機能性を有する。
【図面の簡単な説明】
【０００８】
【図１】本発明の実施の形態に係るカメラの背面を示す外観図である。
【図２】本発明の実施の形態に係るカメラの表示装置の撮影レンズ側を示す外観図である。
【図３】本発明の実施の形態に係るカメラの表示装置の表示部側を示す外観図である。
【図４】本発明の実施の形態に係るカメラから表示装置が取外されている状態を示す図である。
【図５】本発明の実施の形態に係るカメラのシステム構成を示すブロック図である。
【図６】本発明の実施の形態に係るカメラの装置本体の動作設定処理を示すフローチャートである。
【図７】本発明の実施の形態に係るカメラの表示装置の表示部側が装置本体に面して取付けられた状態を示す図である。
【発明を実施するための形態】
【０００９】
以下、図面を参照して本発明の実施の形態に係るカメラについて説明する。図１は実施の形態に係るカメラの背面を示す外観図である。カメラ２は装置本体４及び装置本体４に着脱可能に構成された表示装置６を備え、装置本体４の背面には表示装置６が取外された場合における表示装置６の動作モードを独立モード及びリモコンモードに設定する動作モード設定ボタン８、メモリカード４０または内蔵メモリ４１に記憶された画像を表示部１８に再生表示を行うための指示を行う再生ボタン１０が設けられ、上面にはレリーズ指示を行う第１レリーズボタン１２が設けられている。また、装置本体の前面には第１撮影レンズ２６（図５参照）が設けられている。
【００１０】
図２は、実施の形態に係る表示装置を第２撮影レンズ側の面から視た外観図、図３は実施の形態に係る表示装置を表示部側から視た外観図である。表示装置６は上面に独立モードの場合には表示装置６により撮像を行うためのレリーズ指示、リモコンモードの場合には装置本体４により撮像を行うためのレリーズ指示を行う第２レリーズボタン１４が設けられている。また、表示装置６の前面には第２撮影レンズ１６が設けられ、背面にはＴＦＴ等により構成される表示部１８が設けられている。また、図４に示すように表示装置６は装置本体４の背面に設けられた凹部２０に取付けることができるように構成されている。
【００１１】
ここで、表示装置６に対する動作モードの設定は動作モード設定ボタン８の操作によりを行われ、独立モードにおいては第２レリーズボタン１４の操作により表示装置６は後述する第２撮像素子６０を用いて撮像を行い、リモコンモードにおいては第２レリーズボタン１４の操作により表示装置６は赤外線発光部７０を介して装置本体４に対して撮像指示信号を送信し、後述する第１撮像素子２６を用いて撮像を行う。
【００１２】
図５は、実施の形態に係るカメラのシステム構成を示すブロック図である。装置本体４はＣＰＵ２２を備え、ＣＰＵ２２には、画像処理部３０、撮像制御部３４、赤外線受光部３２、操作部３６、メモリカードスロット３８、画像データ変換部４１、接続検出部４８、電源制御部５０が接続されている。
【００１３】
第１撮像素子２４は、ＣＣＤ或いはＣＭＯＳ等により構成され、第１撮影レンズ２６を介した被写体光を撮像し撮像信号（蓄積電荷としてのアナログ信号）を生成する。Ａ／Ｄ変換部２８は、第１撮像素子２４から出力された撮像信号をＡ／Ｄ変換して画像データを生成する。また、画像処理部３０は、Ａ／Ｄ変換部２８から出力された画像データに対してホワイトバランス調整、輪郭補償、ガンマ補正等の画像処理を行う。赤外線受光部３２は、表示装置６が装置本体４から取り外されリモコンモードに設定されている場合に、表示装置６側の赤外線発光部７０から発光される表示装置６における操作指示に基づく信号を受光する。また、撮像制御部３４は、表示装置６が装置本体４から取外されている場合において赤外線受光部３２を介して入力された表示装置６における操作指示に基づいて第１撮像素子２４による撮像動作の制御を行う。また、表示装置６が装置本体４に取付けられている場合には、レリーズボタン１２が操作されると第１撮像素子２４による撮像動作の制御を行う。ここで、操作部３６は動作モード設定ボタン８、再生ボタン１０、第１レリーズボタン１２を備えている。
【００１４】
メモリカードスロット３８は、ＳＤカードやコンパクトフラッシュ（登録商標）等のメモリカード４０を装着するＳＤスロットやＣＦスロット等である。メモリカード４０または内蔵メモリ４１には第１撮像素子２４から出力された撮像信号に対して、画像処理部３０により画像処理が実施された画像データが記憶される。また、画像データ変換部４２は、表示装置６の表示部１８に表示させるために適した符号化方法を用いた変換処理を画像データに対して行い表示用の画像データを生成する。即ち、表示する画像データに対してエンコード、フレームの間引き、圧縮等の処理を行う。画像データ変換部４２により出力される表示用の画像データの出力先は、装置本体４と表示装置６との着脱状態に応じて異なる。即ち、表示装置６が装置本体４に取付けられている場合には接続部４４を介して表示装置６に出力する。一方、表示装置６が装置本体４から取外されリモコンモードに設定されている場合には無線出力部４６を介して表示用の画像データを表示装置６に出力する。ここで、表示装置６が装置本体４から取外され独立モードに設定されている場合には表示装置６の表示部１８には第２撮像素子６０により撮像された画像データが出力されるため、画像データ変換部４２は表示装置６に対して表示用の画像データの出力を行わない。なお、表示する画像データが符号化方法の変換処理を行わなくても表示部１８に表示させるために適した画像データである場合には、画像データ変換部４２による処理を行わなくてもよい。
【００１５】
また、接続検出部４８は、表示装置６が装置本体４に取付けられているか装置本体４から取外されているかを、接続部４４が表示装置６側の接続部６８と接しているか否かにより検出する。電源制御部５０は、電源コネクタ５２にＡＣアダプタ５４が接続されている場合にはＡＣアダプタ５４を介して外部の商用電源から電源を取得しＣＰＵ２２に電源を供給する。ＡＣアダプタ５４が接続されていない場合にはバッテリ５６を介して電源を取得しＣＰＵ２２に電源を供給する。また、電源制御部５０は、表示装置６が装置本体４に取付けられている場合には接続部４４を介して表示装置６に電源を供給する。なお、ＡＣアダプタ５４が電源コネクタ５２に接続されている場合にはＣＰＵ２２や表示装置６に電源を供給する他、バッテリ５６の充電を行ってもよい。
【００１６】
表示装置６は、サブＣＰＵ５８を備え、サブＣＰＵ５８には、第２レリーズボタン１４、表示部１８、画像処理部６４、補助メモリ６６、接続部６８、赤外線発光部７０、電源制御部７２、無線受信部７６が接続されている。
【００１７】
表示装置６が装置本体４から取外され独立モードに設定されている場合には、第２撮像素子６０により撮像された画像データの示す画像が表示部１８に出力される。第２レリーズボタン１４の操作が行われると撮像制御部５９は、ＣＣＤ或いはＣＭＯＳ等により構成される第２撮像素子６０を用いて第２撮影レンズ１６を介した被写体光を撮像し、撮像信号（蓄積電荷としてのアナログ信号）を生成する。Ａ／Ｄ変換部６２は、第２撮像素子６０から出力された撮像信号をＡ／Ｄ変換して画像データを生成する。また、画像処理部６４は、Ａ／Ｄ変換部６２から出力された画像データに対してホワイトバランス調整、輪郭補償、ガンマ補正等の画像処理を行う。第２撮像素子６０により撮像され生成された画像データは、補助メモリ６６に記憶される。補助メモリ６６に記憶された画像データは表示装置６が装置本体４に取付けられた際に接続部６８を介して装置本体４側のメモリカード４０または内蔵メモリ４１に記憶される。
【００１８】
表示装置６が装置本体４から取外されリモコンモードに設定されている場合には、第２レリーズボタン１４における操作指示を赤外線発光部７０を介して装置本体４に対して赤外線を用いて出力する。また、この場合においては、第１撮像素子２４により撮像され生成された画像データを装置本体４から無線受信部７６を介して受信し、表示部１８に出力する。なお、表示装置６が装置本体４に取付けられている場合にはレリーズボタン１６は凹部２０内に収容されるため操作することはできない。
【００１９】
また、電源制御部７２は、表示装置６が装置本体４に取付けられている場合には接続部６８を介して装置本体４から電源の供給を受けサブＣＰＵ５８に供給し、装置本体４から取外されている場合にはバッテリ７４から電源の供給を受けサブＣＰＵ５８に供給する。なお、表示装置６が装置本体４に取付けられている場合には、電源制御部７２はサブＣＰＵ５８に電源を供給する他、バッテリ７４の充電を行ってもよい。また、表示装置６が装置本体４に取付けられている場合には接続部６８を介して装置本体４から電源の供給を受ける他、画像データ等の受信を行う。
【００２０】
次に、図６に示すフローチャートを参照して実施の形態に係るカメラの装置本体と表示装置との各接続状態における装置本体の動作設定処理について説明する。接続検出部４８は、装置本体４と表示装置６との接続状態の変化を検出すると（ステップＳ１：Ｙ）、表示装置６が装置本体４に取付けられているか否か確認する（ステップＳ２）。接続状態の変化を検出しない場合には（ステップＳ１：Ｎ）、接続状態の変化が検出されるまで待機する。
【００２１】
表示装置６が装置本体４から取外されている場合には（ステップＳ２：Ｎ）、電源制御部５０は、表示装置６に対する電源の供給を停止する（ステップＳ３）。そしてＣＰＵ２２はモード設定ボタン８により設定された表示装置６の動作モードが独立モードであるかリモコンモードであるかを確認する（ステップＳ４）。独立モードである場合には、表示装置６に対する表示用の画像データの出力を停止する設定を行う（ステップＳ５）。なお、設定された動作モードは表示装置６に送信され、表示装置６は受信した動作モードに設定する。
【００２２】
このとき、表示装置６においては、電源制御部７２はバッテリ７４を用いてサブＣＰＵ５８に対する電源の供給を開始する。また、第２撮像素子６０により撮像された画像を表示部１８に出力する設定、第２レリーズボタン１４が操作されると第２撮像素子６０を用いて撮像する設定を行う。また、第２撮像素子６０により撮像され生成された画像データの記憶先を補助メモリ６６に設定する。
【００２３】
ステップＳ４においてリモコンモードである場合には、表示用の画像データを無線出力部４６を介して表示装置６に対して出力する設定を行い（ステップＳ６）、表示装置６から出力された操作指示を示す信号を赤外線受光部３２において受け付ける外部操作モードに設定する（ステップＳ７）。また、この場合には表示装置６側の第２レリーズボタン１４が操作されると第１撮像素子２４を用いて撮像を行うため、撮像された画像データを装置本体４のメモリカード４０または内蔵メモリ４１に記憶する設定を行う（ステップＳ８）。
【００２４】
一方、表示装置６が装置本体４に取付けられている場合には（ステップＳ２：Ｙ）、電源制御部５０は、表示装置６に対する電源の供給を開始する（ステップＳ９）。そして接続部４４を介して表示装置６に対して接続確認信号を出力し（ステップＳ１０）、接続確認信号に対して表示装置６から確認通知を接続部４４を介して受信したか否か確認する（ステップＳ１１）。確認通知を受信しない場合にはエラー処理を行い（ステップＳ１８）、ステップＳ２の処理に戻る。
【００２５】
確認通知を受信した場合には（ステップＳ１１：Ｙ）、装置本体４が備える操作部３６による操作を受け付ける本体操作モードに設定する（ステップＳ１２）。また、撮像された画像データを装置本体４のメモリカード４０または内蔵メモリ４１に記憶する設定を行う（ステップＳ１３）。そして、表示装置６の補助メモリ６６に記憶された画像データをメモリカード４０または内蔵メモリ４１に記憶する（ステップＳ１４）。このとき、メモリカード４０または内蔵メモリ４１に記憶された画像データと比較し、メモリカード４０または内蔵メモリ４１に記憶されていない画像データのみを記憶させる。また、メモリカード４０または内蔵メモリ４１内に補助メモリ用のフォルダを作成し、該フォルダと補助メモリ６６の記憶内容を同期させてもよい。
【００２６】
次に、表示装置６の何れの面が凹部２０において装置本体４と面しているか判定する。即ち、表示装置６の第２レンズ１６が設けられた面が装置本体４と面しているか、表示部１８が設けられた面が装置本体４と面しているか判定する（ステップＳ１５）。図１に示すように第２レンズ１６が設けられた面が装置本体４と面している場合には（ステップＳ１５：Ｙ）、表示用の画像データを接続部４４を介して表示装置６に対して出力する設定を行う（ステップＳ１６）。
【００２７】
一方、図７に示すように表示部１８が設けられた面が装置本体４と面し、カメラ２の背面に第２撮影レンズ１６が位置している場合には（ステップＳ１５：Ｎ）、第１レリーズボタン１２の操作により第１撮像素子２４及び第２撮像素子６０の双方において撮像を行う二面撮像モードに設定する（ステップＳ１７）。この場合に第１撮像素子２４及び第２撮像素子６０において撮像され生成される画像データは、何れもステップＳ１３において設定された装置本体４が備えるメモリカード４０または内蔵メモリ４１に記憶される。
【００２８】
本実施の形態に係るカメラによれば、表示装置が独立した撮像機能を備えるため、装置本体と表示装置との距離が離れている場合であっても所望の構図で撮像を行うことができる。また、装置本体と表示装置との取付状態によってはカメラの両面を撮像することができる。
【００２９】
なお、上述の実施の形態においては表示装置６が装置本体４から取外されている場合に、表示装置６は独立モードまたはリモコンモードに設定し動作する構成としたが、これらの動作モードの他、取外されている場合において第１レリーズボタン１２または第２レリーズボタン１４における１回の操作により第１撮像素子２４及び第２撮像素子２６の双方で撮像を行う二面撮像モードに設定し動作可能な構成としてもよい。例えば、まずリモコンモードとして表示装置６において第１撮像素子２４により撮像される画像の構図を確認し、その後第１撮像素子２４により撮像される被写体を別の角度から第２撮像素子２６により撮像すべく表示装置６を設置する。そして、独立モードと同様に表示装置６において第２撮像素子２６により撮像される構図を確認する。その後第２レリーズボタン１４の操作により第１撮像素子２４及び第２撮像素子２６の双方により撮像を行う。この場合には第１撮像素子２４により撮像され生成された画像データはメモリカード４０または内蔵メモリ４１に、第２撮像素子２６により撮像され生成された画像データは補助メモリ６６にそれぞれ記憶する。
【００３０】
また、上述の実施の形態におけるカメラ２が備える表示装置６の他、表示装置６と同等の機能を備え同一の手順により装置本体４と通信を行う外部表示装置を用いてもよい。この場合には、他の個体による誤操作を防止するため、外部表示装置の個体識別番号を装置本体４に予め登録することにより外部表示装置による動作を可能とする。
【符号の説明】
【００３１】
２…カメラ、４…装置本体、６…表示装置、１２…第１レリーズボタン、１４…第２レリーズボタン、１６…第２撮影レンズ、１８…表示部、２２…ＣＰＵ、２４…第１撮像素子、２６…第１撮影レンズ、４０…メモリカード、４１…内蔵メモリ、４８…接続検出部、５８…サブＣＰＵ、６０…第２撮像素子、６６…補助メモリ。
【図１】
2011015016.tif 000003
【図２】
2011015016.tif 000004
【図３】
2011015016.tif 000005
【図４】
2011015016.tif 000006
【図５】
2011015016.tif 000007
【図６】
2011015016.tif 000008
【図７】
2011015016.tif 000009